【事件の表示】
　平成１１年特許願第２４４０２８号「パチンコ機の電力供給装置」拒絶査定不服審判事件〔平成１３年３月１３日出願公開、特開２００１−６２０４７〕について、次のとおり審決する。
【結　論】
　本件審判の請求は、成り立たない。
【理　由】
１．手続の経緯
　本願は平成１１年８月３０日を出願日とする特許出願であって、平成１７年６月２１日付けで拒絶理由が通知され、その指定期間内である同年８月２９日に意見書及び手続補正書が提出され、平成１８年５月２４日付けで拒絶査定がなされ、これに対し、同年６月２９日に拒絶査定不服審判が請求されるとともに、同年７月３１日付けで手続補正がなされたものである。
　なお、当審において、平成２０年６月１８日付けで審査官による前置報告書の内容を添付して審尋を行ったが、請求人からの回答書提出はなかった。
　
２．平成１８年７月３１日付けの手続補正についての補正却下の決定
［補正却下の決定の結論］
　　平成１８年７月３１日付けの手続補正を却下する。
　
［理由］
（１）平成１８年７月３１日付けの手続補正（以下「本件補正」という。）における特許請求の範囲の記載
【請求項１】
　
一方的に賞球払出制御部およびサブ制御部に
賞球を払出すためのコンピュータによる制御処理を行う賞球払出制御部と、賞球払出制御からの駆動信号で動作される賞球払出機構部と、主制御部から出力された指示信号の入力により賞球払出制御部のコンピュータと別のコンピュータによる制御処理を行う
サブ制御部
動作される
、
複数の入賞口と入賞球検出スイッチと主制御部と主制御部からの駆動信号で動作される部品とが遊技盤に設けられ、賞球払出制御部と賞球払出機構部とサブ制御部とサブ制御部からの駆動信号で動作される部品と電源部とが互いに別々の場所でかつ複数の入賞口と入賞球検出スイッチと主制御部と主制御部からの駆動信号で動作される部品と別の場所に配置され、
と賞球払出制御部と
と
賞球払出機構部に使用される電圧の直流電力と
動作される
また、
賞球払出制御部の制御動作に使用される電圧の直流電力と賞球払出機構部に使用される電圧の直流電力とを賞球払出制御部に供給し、さらに、電源部が
サブ制御部
動作される
サブ制御部
供給する
【請求項２】
　
一方的に賞球払出制御部およびサブ制御部に
賞球を払出すためのコンピュータによる制御処理を行う賞球払出制御部と、賞球払出制御からの駆動信号で動作される賞球払出機構部と、主制御部から出力された指示信号の入力により賞球払出制御部のコンピュータと別のコンピュータによる制御処理を行う
サブ制御部
動作される
複数の入賞口と入賞球検出スイッチと主制御部と主制御部からの駆動信号で動作される部品とが遊技盤に設けられ、賞球払出制御部と賞球払出機構部とサブ制御部とサブ制御部からの駆動信号で動作される部品と電源部とが互いに別々の場所でかつ複数の入賞口と入賞球検出スイッチと主制御部と主制御部からの駆動信号で動作される部品と別の場所に配置され、
と賞球払出制御部と
と
賞球払出機構部に使用される電圧の直流電力と
動作される
と賞球払出制御部と
と
と賞球払出機構部に使用される電圧の直流電力と
動作される
賞球払出制御部の制御動作に使用される電圧の直流電力と賞球払出機構部に使用される電圧の直流電力とを賞球払出制御部に供給し、また、主制御部が
サブ制御部
動作される
サブ制御部
供給する
（下線部は補正によって追加又は変更された箇所）
　
（２）補正の内容
　本件補正は、補正前の請求項３を削除するとともに、次の変更を行うものである。
ａ．補正前の請求項１、２に記載した発明を特定するために必要な事項である「指示信号を出力する主制御部」について「指示信号を一方的に賞球払出制御部およびサブ制御部に出力する主制御部」と限定。
　
ｂ．補正前の請求項１、２に記載した発明を特定するために必要な事項である「主制御部から出力された指示信号の入力により機能別毎に特有のコンピュータによる制御処理を行う複数のサブ制御部」について「主制御部から出力された指示信号の入力により賞球を払出すためのコンピュータによる制御処理を行う賞球払出制御部」と、「主制御部から出力された指示信号の入力により賞球払出制御部のコンピュータと別のコンピュータによる制御処理を行うサブ制御部」の２つの制御部に限定。
　
ｃ．補正前の請求項１、２に記載した発明を特定するために必要な事項である「複数のサブ制御部ごとからの駆動信号で別々に動作される部品」について「賞球払出制御からの駆動信号で動作される賞球払出機構部」と、「サブ制御部からの駆動信号で動作される部品」の２つに限定。
　ここで、「賞球払出制御からの駆動信号」とあるのは、「賞球払出制御部からの駆動信号」の誤記であると認められる。
　
ｄ．補正前の請求項１、２に記載した発明を特定するために必要な事項である「複数の入賞口と入賞球検出スイッチと主制御部と主制御部からの駆動信号で動作される部品」について「遊技盤に設けられ」るものであると限定。
　なお、「複数の入賞口」については、補正前から「遊技盤に設けられた複数の入賞口」との限定があった（請求項１、２の冒頭部分）。
　
ｅ．補正前の請求項１、２に記載した発明を特定するために必要な事項である「複数のサブ制御部」、「複数のサブ制御部ごとからの駆動信号で別々に動作される部品」及び「電源部」について「賞球払出制御部と賞球払出機構部とサブ制御部とサブ制御部からの駆動信号で動作される部品と電源部とが互いに別々の場所でかつ複数の入賞口と入賞球検出スイッチと主制御部と主制御部からの駆動信号で動作される部品と別の場所に配置され」るものであると限定。
　なお、「複数の入賞口と入賞球検出スイッチと主制御部と主制御部からの駆動信号で動作される部品」のことを、以下「複数の入賞口及び主制御部等」ということにする。
　
ｆ．補正前の請求項１、２に記載した発明を特定するために必要な事項である「主制御部や複数のサブ制御部の制御動作に使用される電圧の直流電力」について「主制御部と賞球払出制御部とサブ制御部との制御動作に使用される電圧の直流電力」と限定。
　
ｇ．補正前の請求項１、２に記載した発明を特定するために必要な事項である「複数のサブ制御部からの駆動信号で動作される部品に使用される電圧の直流電力」について「賞球払出機構部に使用される電圧の直流電力とサブ制御部からの駆動信号で動作される部品に使用される電圧の直流電力」と限定。
　
ｈ．補正前の請求項１に記載した発明を特定するために必要な事項である「電源部が複数のサブ制御部の制御動作に使用される電圧の直流電力と複数のサブ制御部からの駆動信号で別々に動作される部品に使用される電圧の直流電力とを複数のサブ制御部に供給」について「電源部が賞球払出制御部の制御動作に使用される電圧の直流電力と賞球払出機構部に使用される電圧の直流電力とを賞球払出制御部に供給し、さらに、電源部がサブ制御部の制御動作に使用される電圧の直流電力とサブ制御部からの駆動信号で動作される部品に使用される電圧の直流電力とをサブ制御部に供給」と限定。
　
ｉ．補正前の請求項２に記載した発明を特定するために必要な事項である「電源部が主制御部や複数のサブ制御部の制御動作に使用される電圧の直流電力と主制御部からの駆動信号で動作される部品に使用される電圧の直流電力と複数のサブ制御部からの駆動信号で別々に動作される部品に使用される電圧の直流電力とを主制御部に供給」することについて「電源部が主制御部と賞球払出制御部とサブ制御部との制御動作に使用される電圧の直流電力と主制御部からの駆動信号で動作される部品に使用される電圧の直流電力と賞球払出機構部に使用される電圧の直流電力とサブ制御部からの駆動信号で動作される部品に使用される電圧の直流電力とを主制御部に供給」と限定。
　
ｊ．補正前の請求項２に記載した発明を特定するために必要な事項である「主制御部が電源部から供給された複数のサブ制御部の制御動作に使用される電圧の直流電力と複数のサブ制御部からの駆動信号で別々に動作される部品に使用される電圧の直流電力とを複数のサブ制御部に別々に供給」について「主制御部が電源部から供給された賞球払出制御部の制御動作に使用される電圧の直流電力と賞球払出機構部に使用される電圧の直流電力とを賞球払出制御部に供給し、また、主制御部がサブ制御部の制御動作に使用される電圧の直流電力とサブ制御部からの駆動信号で動作される部品に使用される電圧の直流電力とをサブ制御部に供給」とに限定。
　
（３）判断
［変更事項ａ〜ｃ及びｆ〜ｊについて］
　上記２．（２）に記載した変更事項ａ〜ｃ及びｆ〜ｊについては、特許請求の範囲を限定的に減縮するものである。
　
［変更事項ｄについて］
　上記２．（２）に記載した変更事項ｄの「主制御部からの駆動信号で動作される部品」が「遊技盤に設けられ」るものであることについては、本願の願書に最初に添付した明細書又は図面（以下「当初明細書等」という。）に直接的には記載されていない。
　そして、該部品が「大入賞口用ソレノイド２４」以外のものも含み得る以上、「主制御部からの駆動信号で動作される部品」が「遊技盤に設けられ」るものを、当初明細書等のすべての記載を総合することにより導かれる技術的事項との関係において、新たな技術的事項を導入しないものであるということはできない。
　
［変更事項ｅについて］
　上記２．（２）に記載した変更事項ｅの「複数の入賞口及び主制御部等と別の場所」についても、当初明細書等に直接的には記載されていない。
　その上、「複数の入賞口及び主制御部等と別の場所」とは、必ずしも遊技盤以外を意味せず、まして本体枠のみを意味するものでもない。すなわち、遊技盤に設けられている複数の入賞口及び主制御部等の配置場所以外であれば、どこでも良いということになる。
　そうしてみると、補正後の請求項１に記載した発明は、賞球払出制御部及び電源部が本体枠以外の場所、例えば複数の入賞口及び主制御部等の配置場所以外の遊技盤に配置されるものを含むこととなるが、当初明細書等には、「賞球払出制御部７は、本体枠に搭載され」（段落【００１１】）、「３０は電源部であって、本体枠に搭載され」（段落【００１４】）及び「本体枠に取付けられた賞球払出制御部７、球発射制御部８と電源部３０」（段落【００２３】）と記載されており、「電源部３０から主制御部２、特別図柄制御部４、表示灯制御部５、効果音制御部６、賞球払出制御部７、球発射制御部８のそれぞれに必要な電源を個別に供給する構造であれば、パチンコ店での新装開店のように遊技盤だけを新旧交換する場合、本体枠に取付けられた賞球払出制御部７、球発射制御部８と電源部３０との間の配線がそのままで良いので、遊技盤の交換作業が簡単となる。」（段落【００２３】）という効果の記載もあることから、そのようなものを当初明細書等のすべての記載を総合することにより導かれる技術的事項との関係において、新たな技術的事項を導入しないものであるということはできない。
　また、同じく補正後の請求項１に記載した発明は、「サブ制御部」に相当すると考えられる「特別図柄制御部４」、「表示灯制御部５」及び「効果音制御部６」が本体枠に設けられるものを含むこととなるが、当初明細書等には、「特別図柄制御部４は、遊技盤に取付けられた表示器１４の裏面に搭載され」（段落【０００８】）、「表示灯制御部５は、遊技盤の裏面に搭載され」（段落【０００９】）、「効果音制御部６は、遊技盤の裏面に搭載され」（段落【００１０】）及び「特別図柄制御部４、表示灯制御部５、効果音制御部６等のように遊技に関係の深い制御部品は遊技盤に取付けられ」（段落【００２３】）と記載されており、段落【００２３】における上記効果の記載もあることから、そのようなものを当初明細書等のすべての記載を総合することにより導かれる技術的事項との関係において、新たな技術的事項を導入しないものであるということはできない。
　
（４）むすび
　したがって、本件補正は、当初明細書等に記載した事項の範囲内においてしたものとはいえず、特許法第１７条の２第３項の規定に違反するものと認められるから、同法第１５９条第１項において読み替えて準用する同法第５３条第１項の規定により、却下しなければならない。
　よって、結論のとおり決定する。
　
３．本願発明について
（１）本願発明
　平成１８年７月３１日付けの手続補正は上記のとおり却下されたので、本願の請求項１に係る発明（以下「本願発明」という。）は、平成１７年８月２９日付けの手続補正書によって補正された明細書の特許請求の範囲の請求項１に記載された事項により特定される、以下のとおりのものである。
「　遊技盤に設けられた複数の入賞口と、複数の入賞口のそれぞれに入賞した球を検出して賞球を払出すために複数の入賞口に対応して設けられた入賞球検出スイッチと、複数の入賞球検出スイッチの何れかから入力された入賞検出信号によってコンピュータによる遊技全般の制御処理を実行した処理結果である指示信号を出力する主制御部と、主制御部からの駆動信号で動作される部品と、主制御部から出力された指示信号の入力により機能別毎に特有のコンピュータによる制御処理を行う複数のサブ制御部と、複数のサブ制御部ごとからの駆動信号で別々に動作される部品と、電源部とが互いに別々に構成され、電源部がパチンコ店の島側より入力された交流電力を主制御部や複数のサブ制御部の制御動作に使用される電圧の直流電力と主制御部からの駆動信号で動作される部品に使用される電圧の直流電力と複数のサブ制御部からの駆動信号で別々に動作される部品に使用される電圧の直流電力とに変換し、また、電源部が主制御部の制御動作に使用される電圧の直流電力と主制御部からの駆動信号で動作される部品に使用される電圧の直流電力を主制御部に供給し、さらに、電源部が複数のサブ制御部の制御動作に使用される電圧の直流電力と複数のサブ制御部からの駆動信号で別々に動作される部品に使用される電圧の直流電力とを複数のサブ制御部に個別に供給することを特徴とするパチンコ機の電力供給装置。」
　
（２）引用文献
　原査定の拒絶の理由に引用された、本願出願前に国内において頒布された刊行物である特開平６−４７１５６号公報（以下「引用文献」という。）には、
【請求項１】  遊技に必要な各種の制御を行う複数の制御回路と、
ＡＣ電源を前記複数の制御回路で使用する電源に変換して供給する電源供給回路とを備え、
該電源供給回路は、前記複数の制御回路とは別に配置するようにしたことを特徴とする遊技機の制御回路配置構造。
【００２３】センター役物装置６２は、直立状に起立して流下してきた玉が内部に流入することを阻止する遊技者にとって不利な第１状態（閉状態）と、上端を外側に倒して流下してきた玉を受け止めて内部に玉を流入させる遊技者にとって有利な第２状態（開状態）とに変換可能な一対の可動片（可動部材）６６ａ、６６ｂを有し、可動片６６ａ、６６ｂによって受け入れた玉が流入する一般入賞口と特別入賞口（いわゆるＶ入賞口：継続入賞口）とが配設されている。
【００２７】次に、図２はパチンコ機１の裏機構の構成を示す図である。図２において、パチンコ機１の裏機構の主要なものとして、貯留タンク（上タンク）７１、誘導路７２、電源回路基盤７３、玉排出装置７４、確率設定器７５、玉寄せカバー７６、役物制御回路盤７７、スピーカ７８、排出・発射制御回路盤７９、オーバーフロースイッチ８０、ロータリソレノイド８１、人体検出センサ８２および裏機構盤の基枠体８４がある。
【００３８】役物制御回路盤７７は遊技盤１３に配置されたセンター役物装置６２の作動に必要な各種制御を行うもので、所定のケースに役物制御回路（制御回路に相当）の基盤が収納されている。カバー部材７８の下部側にはスピーカ１２０が内蔵されており、スピーカ１２０は遊技に必要な効果音（例えば、大当り時や玉の排出時における効果音）を報知するもので、玉排出数、賞態様および玉の貸出しに応じて各種の音を発生して遊技者に知らせる。・・・
【００３９】排出・発射制御回路盤７９は玉の排出および発射に必要な各種制御を行うもので、所定のケースに排出・発射制御回路（制御回路に相当）の基盤が収納されている。・・・
【００４０】リセットスイッチ１０１は排出・発射制御回路盤７９を構成するマイクロコンピュータのリセット処理を行うもので、このリセットスイッチ１０１をホールの係員が押すことにより、マイクロコンピュータの初期設定が行われる。・・・
【００４２】発射装置としては、ロータリソレノイド８１を用いたタイプの物が使用され、発射装置が電子化されている。・・・
【００４７】電源回路基盤７３にはＡＣ電源（ＡＣ２４Ｖ）が島設備から供給されており、電源回路基盤７３は電源回路盤１５２によりＡＣ２４Ｖを直流電圧に変換して役物制御回路盤７７、排出・発射制御回路盤７９などに供給する。この場合、変換される直流電圧としては、例えばＤＣ５Ｖ、ＤＣ１２Ｖ、ＤＣ２４Ｖ、ＤＣ３０Ｖの各電圧があり、これらは各種コネクタ１５５ｂ、１５５ｃ、１５５ｄ、１５５ｅを通して必要な回路に供給される。なお、これらの各電圧はＤＣ５ＶがＩＣ用、ＤＣ１２ＶがＬＥＤ用、ＤＣ２４Ｖがランプ用、ＤＣ３０Ｖがソレノイド用に使用される。
【００４８】電源回路基盤７３は役物制御回路盤７７や排出・発射制御回路盤７９などで使用する直流電圧をまとめて変換しており、役物制御回路盤７７や排出・発射制御回路盤７９などにはそれぞれの電源回路基盤が配置されていない。・・・
【００５０】・・・図４において、遊技盤１３はベニアを素材として矩形に形成され、この遊技盤１３の裏側に玉寄せ部材１８０がビス１８１〜１８３によって固定されている。玉寄せ部材１８０は透明の樹脂製（例えば、ＡＢＳ樹脂）で、遊技盤１３の各入賞口に入ったセーフ玉を寄せて集める機能を有している。
【００５５】・・・例えば、コネクタ２０３は多数の線を束ねたフラット配線２０４を介して遊技盤１３に装着されたセンター役物装置６２のソレノイド、ランプ、ＬＥＤ、センサ、モータなどへの接続を行う。
【００５７】以上の構成において、本実施例では役物制御回路盤７７や排出・発射制御回路盤７９などの複数の制御回路とは別の場所に電源回路基盤７３が配置され、単独の電源回路基盤７３から各制御回路７７、７９に対して必要な動作電源、例えば、ＤＣ５Ｖ、ＤＣ１２Ｖ、ＤＣ２４Ｖ、ＤＣ３０Ｖの各電圧が供給される。したがって、電源供給回路をそれぞれの制御回路、すなわち役物制御回路盤７７や排出・発射制御回路盤７９内に独自に備える必要がなく、これらの制御回路を交換する際にも、電源供給回路を同時に交換する必要がなくなって、従来に比べて無駄を省き、コスト低下を図ることができる
【００５８】また、役物制御回路盤７７および排出・発射制御回路盤７９内に独自に電源供給回路を備えなくてよい分だけ各制御回路盤７７、７９の小型化を図ることができ、占有スペースを低減させてパチンコ機１の裏メカの限られたスペースを有効に利用することができる。
【００５９】なお、電源回路基盤７３の配置位置、供給電圧などは、上記実施例のタイプに限定されず、遊技機の機種に応じて適宜変更が可能で、本発明の目的の範囲内でどのような態様でもよい。
との記載が認められる。
　
　摘記した上記の記載によれば、引用文献には、
「　複数の入賞口と、センター役物装置６２の作動に必要な各種制御を行う役物制御回路盤７７と、一対の可動片６６ａ、６６ｂと、玉の排出および発射に必要な各種制御を行う排出・発射制御回路盤７９と、玉排出装置７４および発射装置と、電源回路基盤７３とがあり、
前記電源回路基盤７３が島設備から供給されたＡＣ２４Ｖを、ＤＣ５Ｖと、ＤＣ１２Ｖと、ＤＣ２４Ｖと、ＤＣ３０Ｖとに変換し、
前記電源回路基盤７３が前記役物制御回路盤７７に対して必要な動作電源を前記役物制御回路盤７７に供給し、また、前記電源回路基盤７３が前記排出・発射制御回路盤７９に対して必要な動作電源を前記排出・発射制御回路盤７９に供給する遊技機の電源供給回路。」の発明（以下「引用発明」という。）が開示されていると認めることができる。
　
（３）対比
　そこで、本願発明と引用発明とを比較すると、引用発明の「遊技盤１３の各入賞口」は、本願発明の「遊技盤に設けられた複数の入賞口」に相当し、以下同様に、
「役物制御回路盤７７」は「主制御部」に、
「電源回路基盤７３」は「電源部」に、
「島設備から供給された」は「パチンコ店の島側より入力された」に、
「ＡＣ２４Ｖ」は「交流電力」に、
「ＤＣ５Ｖ」は「主制御部や複数のサブ制御部の制御動作に使用される電圧の直流電力」に、
「ＤＣ１２Ｖ」は「主制御部からの駆動信号で動作される部品に使用される電圧の直流電力」に、
「ＤＣ１２Ｖ」及び「ＤＣ２４Ｖ」は「複数のサブ制御部からの駆動信号で別々に動作される部品に使用される電圧の直流電力」に、
「遊技機」は「パチンコ機」に、
「電源供給回路」は「電源供給装置」に、それぞれ相当する。
　
　また、引用文献の記載等から、次のことが言える。
ａ．引用発明は、発射した玉が入賞口に入れば出玉を得ることができるパチンコ機に関するものであるから、入賞口に入ったセーフ玉を検出するセンサを備えていることは明らかである。そして、該センサは本願発明の「入賞球検出スイッチ」に相当している。
　
ｂ．引用発明の「一対の可動片６６ａ、６６ｂ」は、センター役物装置６２の一部を構成する部品であり、役物制御回路盤７７によって制御されている。
　そして、制御されているということはなんらかの駆動信号で動作されているものということができるから、引用発明の「一対の可動片６６ａ、６６ｂ」は、本願発明の「主制御部からの駆動信号で動作される部品」に実質的に相当している。
　
ｃ．摘記した段落【００４０】の記載から、「排出・発射制御回路盤７９」はマイクロコンピュータを備えており、玉の排出および発射はそれぞれ玉排出装置７４および発射装置を制御することによって行われるものであり、かつ、それらは全く別の機能であるから、そのマイクロコンピュータがそれぞれの制御処理を別々に行っていることは明らかである。
　よって、引用発明の「玉の排出および発射に必要な各種制御を行う排出・発射制御回路盤７９」は玉の排出制御処理部および玉の発射制御処理部を備えているものということができ、実質的に本願発明の「機能別毎に特有のコンピュータによる制御処理を行う複数のサブ制御部」に相当するものといえる。
　
ｄ．上記ｃで述べたように、引用発明の「排出・発射制御回路盤７９」は、玉の排出制御処理部および玉の発射制御処理部を備えているものということができるから、「玉排出装置７４および発射装置」が、それぞれ玉の排出制御処理部および玉の発射制御処理部からの駆動信号で別々に動作されるものということもできる。
　そうしてみると、引用発明の「玉排出装置７４および発射装置」は本願発明の「複数のサブ制御部ごとからの駆動信号で別々に動作される部品」に実質的に相当しているものといえる。
　
ｅ．「役物制御回路盤７７に対して必要な動作電源」とは、役物制御回路盤７７の制御動作に使用される電圧の直流電力と役物制御回路盤７７によって制御される「一対の可動片６６ａ、６６ｂ」に使用される電圧の直流電力であることは明らかである。
　そして、上記ｂで述べたように、引用発明の「一対の可動片６６ａ、６６ｂ」は、本願発明の「主制御部からの駆動信号で動作される部品」に実質的に相当しているので、引用発明の「前記役物制御回路盤７７に対して必要な動作電源を前記役物制御回路盤７７に供給」も、本願発明の「主制御部の制御動作に使用される電圧の直流電力と主制御部からの駆動信号で動作される部品に使用される電圧の直流電力を主制御部に供給」に実質的に相当している。
　
ｆ．「排出・発射制御回路盤７９に対して必要な動作電源」とは、排出・発射制御回路盤７９の制御動作に使用される電圧の直流電力と排出・発射制御回路盤７９によって制御される「玉排出装置７４および発射装置」に使用される電圧の直流電力であることは明らかである。
　そして、上記ｃ及びｄで述べたように、引用発明の「排出・発射制御回路盤７９」及び「玉排出装置７４および発射装置」は、それぞれ本願発明の「複数のサブ制御部」及び「複数のサブ制御部ごとからの駆動信号で別々に動作される部品」に実質的に相当しているので、引用発明の「前記排出・発射制御回路盤７９に対して必要な動作電源を前記排出・発射制御回路盤７９に供給」と本願発明の「複数のサブ制御部の制御動作に使用される電圧の直流電力と複数のサブ制御部からの駆動信号で別々に動作される部品に使用される電圧の直流電力とを複数のサブ制御部に個別に供給」とは、「複数のサブ制御部の制御動作に使用される電圧の直流電力と複数のサブ制御部からの駆動信号で別々に動作される部品に使用される電圧の直流電力とを複数のサブ制御部に供給」の点で共通している。
　
　よって、引用発明と本願発明は、
「　遊技盤に設けられた複数の入賞口と、入賞球検出スイッチと、制御部と、制御部からの駆動信号で動作される部品と、機能別毎に特有のコンピュータによる制御処理を行う複数のサブ制御部と、複数のサブ制御部ごとからの駆動信号で別々に動作される部品と、電源部とがあり、
電源部がパチンコ店の島側より入力された交流電力を主制御部や複数のサブ制御部の制御動作に使用される電圧の直流電力と主制御部からの駆動信号で動作される部品に使用される電圧の直流電力と複数のサブ制御部からの駆動信号で別々に動作される部品に使用される電圧の直流電力とに変換し、
また、電源部が主制御部の制御動作に使用される電圧の直流電力と主制御部からの駆動信号で動作される部品に使用される電圧の直流電力を主制御部に供給し、さらに、電源部が複数のサブ制御部の制御動作に使用される電圧の直流電力と複数のサブ制御部からの駆動信号で別々に動作される部品に使用される電圧の直流電力とを複数のサブ制御部に供給することを特徴とするパチンコ機の電力供給装置。」
の点で一致し、以下の点で相違している。
　
［相違点１］本願発明は「入賞球検出スイッチ」が「複数の入賞口のそれぞれに入賞した球を検出して賞球を払出すために複数の入賞口に対応して設けられ」ているのに対し、引用発明の「セーフ玉を検出するセンサ」は、どこに設けられているか明らかでない点。
　
［相違点２］本願発明は「複数の入賞球検出スイッチの何れかから入力された入賞検出信号によってコンピュータによる遊技全般の制御処理を実行した処理結果である指示信号を出力する主制御部」を有するのに対し、引用発明の「役物制御回路盤７７」は、入賞検出信号によってコンピュータによる遊技全般の制御処理を実行した処理結果である指示信号を出力しているか否か明らかでない点。
　
［相違点３］本願発明の「複数のサブ制御部」は「主制御部から出力された指示信号の入力により」制御処理を行うのに対し、引用発明の「排出・発射制御回路盤７９」はどのような信号の入力に基づいて制御を行っているか明らかでない点。
　
［相違点４］本願発明は「複数の入賞口」、「入賞球検出スイッチ」、「主制御部」、「主制御部からの駆動信号で動作される部品」、「複数のサブ制御部」、「複数のサブ制御部ごとからの駆動信号で別々に動作される部品」及び「電源部」とが「互いに別々に構成され」ているのに対し、引用発明では「複数の入賞口」、「役物制御回路盤７７」、「一対の可動片６６ａ、６６ｂ」、「排出・発射制御回路盤７９」、「玉排出装置７４」、「発射装置」及び「電源回路基盤７３」については互いに別々に構成されているということはできるものの、「セーフ玉を検出するセンサ」はどのように設けられているか明らかでなく、また本願発明の「複数のサブ制御部」に相当する「排出・発射制御回路盤７９」は排出制御と発射制御の両方を行うものとなっており、別々に構成されていない点。
　
［相違点５］本願発明は「電源部」が直流電力を「複数のサブ制御部に個別に供給」しているのに対し、引用発明では「電源回路基盤７３」が必要な動作電源を排出制御と発射制御の両方を行う「排出・発射制御回路盤７９」に一括して供給している点。
　
（４）判断
［相違点１について］
　パチンコ機の分野において、入賞球検出スイッチを複数の入賞口のそれぞれに設けることは、例えば、特開平１１−２０６９６３号公報（特に【００５２】）、特開平１０−２４４０５８号公報（特に【００１９】、図２）及び特開平９−１９２３３２号公報（特に【００８４】）に記載されるように、従来周知の技術（以下「周知技術１」という。）であるから、引用発明に周知技術１を適用し「遊技盤１３の各入賞口」のそれぞれに「セーフ玉を検出するセンサ」を設けて、相違点１に係る本願発明の構成とすることは、パチンコ機の分野における通常の知識を有する者（以下「当業者」という。）であれば容易に想到し得ることである。
　
［相違点２、３について］
　パチンコ機の分野において、主制御部が入賞検出信号によってコンピュータによる遊技全般の制御処理を実行し、その処理結果である指示信号を複数のサブ制御部に出力するとともに、複数のサブ制御部が主制御部から出力された指示信号の入力により制御処理を行うことは、例えば、特開平１１−１７９０２８号公報（特に段落【００１７】〜【００２３】）、特開平１１−１２８４９４号公報（特に段落【００１４】、【００１５】、【００２０】【００２１】）及び特開平５−１１５６１２号公報（特に段落【００２４】、【００２５】）に記載されるように、従来周知の技術（以下「周知技術２」という。）であるから、引用発明に周知技術２を適用し「役物制御回路盤７７」によって入賞検出信号に応じた遊技全般の制御処理を実行し、その処理結果である指示信号を「排出・発射制御回路盤７９」等に出力するようにして、相違点２、３に係る本願発明の構成とすることは、パチンコ機の分野における通常の知識を有する者（以下「当業者」という。）であれば容易に想到し得ることである。
　
［相違点４、５について］
　上記［相違点１について］の項で述べた、引用発明に周知技術１を適用し「遊技盤１３の各入賞口」のそれぞれに「セーフ玉を検出するセンサ」を設ける際に、「遊技盤１３の各入賞口」と「セーフ玉を検出するセンサ」とを別々のものとするか一体のものとするかは、当業者が必要に応じて適宜選択し得る事項である。
　また、パチンコ機の分野において、排出制御部と発射制御部を別々に構成することも、例えば、上記特開平１１−１７９０２８号公報（特に段落【００２１】）、上記特開平１１−１２８４９４号公報（特に段落【００３１】）及び特開平６−１４２３２８号公報（特に段落【００２７】、【００３８】、【００４２】及び【図１】）に記載されるように、従来周知の技術（以下「周知技術３」という。）であるから、引用発明に周知技術３を適用し、「排出・発射制御回路盤７９」を「排出制御回路盤」と「発射制御回路盤」に分け、「電源回路基盤７３」からそれぞれの回路盤に必要な動作電源を供給するようにして、相違点４、５に係る本願発明の構成とすることは、当業者であれば容易に想到し得ることである。
　
　以上のとおりであるから、上記相違点１〜５に係る本願発明の構成は、当業者が容易に想到し得たものというべきである。
　さらに、本願発明の作用効果も、引用発明及び周知技術１〜３に基づいて当業者が予測できる範囲のものである。
　したがって、本願発明は、引用発明及び周知技術１〜３に基づいて、当業者が容易に発明をすることができたものであるから、特許法第２９条第２項の規定により特許を受けることができないものである。
　
（５）むすび
　以上のとおり、本願発明は、引用発明及び周知技術１〜３に基づいて、当業者が容易に発明をすることができたものであるから、本願請求項２及び３については検討するまでもなく、本願は特許法第２９条第２項の規定により特許を受けることができない。
　よって、結論のとおり審決する。